(57)【要約】【課題】任意の画像ファイルに対して書き込みを行い、ユーザが希望したときに書き込みが行われた置換画像ファイルをユーザに対して表示できるようにする。【解決手段】情報閲覧システム１０２は、ユーザから入力装置１０７を介した依頼によってＷｅｂサーバ１０９からの画像ファイルに対する付せん情報を作成する。付せん情報は、置換処理部１０４内の付せん情報ＤＢ２０２に、置換画像ファイルは置換画像ファイルＤＢ２０３に保存される。Ｗｅｂサーバ１０９の情報を閲覧する場合、ロケーションに対応する付せん情報があるか否かを確認の上、付せん情報がある場合、ＨＴＭＬソース編集部２０５でＨＴＭＬソースを編集し、置換画像ファイルＤＢ２０３に格納された置換画像ファイルを表示させる。【選択図】図１
2007310497.tif 000002
【特許請求の範囲】
【請求項１】
任意のＷｅｂサーバに用意されたＨＴＭＬソース及び画像ファイルによるリソースを閲覧する情報閲覧方法において、
前記Ｗｅｂサーバに接続可能なユーザ端末に、前記リソースの編集、付せん情報の管理を行う置換処理部を備え、該置換処理部は、前記ユーザ端末が前記Ｗｅｂサーバから取得した前記リソースの画像ファイルに対して、ユーザの指示により付せん情報を設定すると共に、付せん情報が設定された置換画像ファイルを生成し、前記付せん情報と置換画像ファイルとを、前記リソースの存在場所を示す情報と共にデータベース内に格納しておくことを特徴とする情報閲覧方法。
【請求項２】
任意のＷｅｂサーバに用意されたＨＴＭＬソース及び画像ファイルによるリソースを閲覧する情報閲覧方法において、
前記Ｗｅｂサーバに接続可能なユーザ端末に、前記リソースの編集、付せん情報の管理を行う置換処理部を備え、該置換処理部は、前記ユーザ端末が前記Ｗｅｂサーバから取得した前記リソースの画像ファイルに対して、ユーザの指示により付せん情報を設定すると共に、付せん情報が設定された置換画像ファイルを生成し、前記付せん情報と置換画像ファイルとを、前記リソースの存在場所を示す情報と共にデータベース内に格納しておき、その後に、前記ユーザ端末が前記Ｗｅｂサーバからリソースを取得した場合、その後に取得したリソースの存在場所の情報に基づいて、前記データベース内にすでに付せんが設定された同一のリソースの置換画像ファイルがあるか否かを調べ、ある場合に、前記その後に取得したリソースの画像ファイル内に付せんを付けて表示することを特徴とする情報閲覧方法。
【請求項３】
前記その後に取得したリソースの画像ファイル内に付せんを付けて表示している状態で、画像ファイル内の付せんが選択されたとき、前記置換処理部は、前記データベース内の付せんの内容が設定された置換画像ファイルを、前記その後に取得したリソースの画像ファイルに代わって挿入して表示することを特徴とする請求項２記載の情報閲覧方法。
【請求項４】
前記置換処理部は、前記置換画像ファイルを作成するために、前記リソースの前記画像ファイルに任意の文字を書き込むための画像ファイル編集機能を有することを特徴とする請求項１、２または３記載の情報閲覧方法。
【請求項５】
前記置換画像ファイルは、予め前記ユーザが編集した編集済み置換画像ファイルをも利用することができることを特徴とする請求項１ないし４のうちいずれか１記載の情報閲覧方法。
【請求項６】
任意のＷｅｂサーバに用意されたＨＴＭＬソース及び画像ファイルによるリソースを閲覧する情報閲覧システムにおいて、
前記Ｗｅｂサーバに接続可能なユーザ端末に、前記リソースの画像ファイル編集部と、前記ＨＴＭＬソース編集部と、付せん情報の管理を行う付せん情報管理部とにより構成される置換処理部を備え、該置換処理部は、前記ユーザ端末が前記Ｗｅｂサーバから取得した前記リソースの画像ファイルに対して、ユーザの指示により付せん情報を設定すると共に、付せん情報が設定された置換画像ファイルを生成し、前記付せん情報と置換画像ファイルとを、前記リソースの存在場所を示す情報と共にデータベース内に格納しておき、その後に、前記ユーザ端末が前記Ｗｅｂサーバからリソースを取得した場合、その後に取得したリソースの存在場所の情報に基づいて、前記データベース内にすでに付せんが設定された同一のリソースの置換画像ファイルがあるか否かを調べ、ある場合に、前記その後に取得したリソースの画像ファイル内に付せんを付けて表示することを特徴とする情報閲覧システム。
【発明の詳細な説明】
【技術分野】
【０００１】
本発明は、情報閲覧方法及び情報閲覧システムに係り、特に、コンピュータネットワーク上、記録媒体等に存在する情報の閲覧時に個人的な情報を付加することができる情報閲覧方法及び情報閲覧システムに関する。
【背景技術】
【０００２】
コンピュータ及び記録媒体の発展に伴い、コンピュータネットワーク上及び記録媒体に膨大な情報が蓄積されてきている。ユーザは、ＰＣ（パーソナルコンピュータ）等によるユーザ端末を利用することにより、これらの情報を自由に、効果的に閲覧することができるようになった。近年、これらの情報には、さらに検索性を高めるために、しおりや付せんを付加できるよう工夫がなされている。例えば、特許文献１には、情報閲覧装置に補助機能を与え、情報源に含まれる一部の情報を指定し、その指定した情報に対するしおりを設定できるようにする技術が開示されている。また、特許文献２には、情報源を変更することなく、掲載内容の任意の個所にメモを記載できる付せんの設定方法及びそのためのプログラムに関する技術が開示されている。
【特許文献１】特開２００１−１８４３５４号公報
【特許文献２】特開２００５−１９０４５８号公報
【発明の開示】
【発明が解決しようとする課題】
【０００３】
前述した特許文献１に記載の従来技術は、情報に対してしおりを付加することができるが、情報源に書き込みを行うことができないという問題点を有している。また、特許文献２に記載の従来技術は、情報源にメモを記載することができるようになっているが、メモを記載することができるのは文中だけであり、画像ファイルの中にメモを記載することができないという問題点を有している。
【０００４】
本発明の目的は、前述した従来技術の問題点を解決し、任意の画像ファイルに対して書き込みを行い、ユーザが希望したときに書き込みが行われた置換画像ファイルをユーザに対して表示できるようにした情報閲覧方法及び情報閲覧システムを提供することにある。
【課題を解決するための手段】
【０００５】
本発明によれば前記目的は、任意のＷｅｂサーバに用意されたＨＴＭＬソース及び画像ファイルによるリソースを閲覧する情報閲覧方法において、前記Ｗｅｂサーバに接続可能なユーザ端末に、前記リソースの編集、付せん情報の管理を行う置換処理部を備え、該置換処理部は、前記ユーザ端末が前記Ｗｅｂサーバから取得した前記リソースの画像ファイルに対して、ユーザの指示により付せん情報を設定すると共に、付せん情報が設定された置換画像ファイルを生成し、前記付せん情報と置換画像ファイルとを、前記リソースの存在場所を示す情報と共にデータベース内に格納しておき、その後に、前記ユーザ端末が前記Ｗｅｂサーバからリソースを取得した場合、その後に取得したリソースの存在場所の情報に基づいて、前記データベース内にすでに付せんが設定された同一のリソースの置換画像ファイルがあるか否かを調べ、ある場合に、前記その後に取得したリソースの画像ファイル内に付せんを付けて表示することにより達成される。
【発明の効果】
【０００６】
本発明によれば、第三者によって提供される情報に対して、提供されている元の情報に変更を加えることなく、その情報を閲覧する個人にとって有益な情報を画像ファイルの中にメモとして記載することができるので、Ｗｅｂ等により提供された情報を効果的に活用することができる。
【発明を実施するための最良の形態】
【０００７】
以下、本発明による情報閲覧方法及び情報閲覧システムの実施形態を図面により詳細に説明する。
【０００８】
図１は本発明の一実施形態による情報閲覧システムの構成を示すブロック図である。図１において、１０１はユーザ端末、１０２は情報閲覧システム、１０３は制御部、１０４は置換処理部、１０５は表示制御部、１０６はキャッシュ、１０７は入力装置、１０８はネットワーク、１０９はＷｅｂサーバ、１１０はオペレーティングシステム（ＯＳ）、１１１は主記憶装置、１１２はＣＰＵ、１１３はハードディスク装置（ＨＤＤ）、１１４は表示装置である。
【０００９】
本発明の実施形態による情報閲覧システム１０２は、ＣＰＵ１１２、主記憶装置１１１、ハードディスク装置１１３等を備えて構成されるＰＣに代表される計算機であるユーザ端末１０１内のハードディスク装置１１３にプログラムとして格納され、主記憶装置１１１にロードされた後に、ＯＳ１１０の下でＣＰＵ１１２によって実行されることにより、本発明の実施形態での各種の処理を行うアプリケーションである。ユーザ端末１０１には、入力装置１０７、表示装置１１４が接続されており、また、ユーザ端末１０１は、図示しない通信インタフェースを備えて、インターネット等のネットワーク１０８を通じてＷｅｂサーバ１０９に接続することができる。そして、情報閲覧システム１０２は、Ｗｅｂサーバ１０９上にある情報や、ユーザ端末１０１上にある情報を閲覧するために使用される。
【００１０】
情報閲覧システム１０２は、入力装置１０７からのユーザによるＷｅｂサーバ１０９やユーザ端末１０１上にある情報の閲覧依頼、及び、本発明の機能である付せん機能の実行依頼を処理する制御部１０３を含む。Ｗｅｂサーバ１０９上にある情報を閲覧するためには、ＵＲＬと呼ばれるネットワーク１０８としてのインターネット上の情報の所在場所を、ユーザ端末１０１上にある情報を閲覧するためには、絶対パスと呼ばれるハードディスク装置１１３上の情報の所在地を入力すればよい。ここで、情報閲覧システム１０２が表示するＨＴＭＬソース及び画像ファイルの情報をリソースと呼ぶ。制御部１０３は、リソースを情報閲覧システム１０２内に保存し、後述する表示制御部１０５を通じて表示装置１１４にリソースを表示する。また、本発明の機能である付せん機能の実行依頼に関しては、後述する置換処理部１０４へ機能の実行を依頼する。
【００１１】
また、情報閲覧システム１０２は、本発明の機能である付せん機能を実行するための仕組みを有する置換処理部１０４を含む。置換処理部１０４は、付せん機能を実現するために、付せんの情報や置換画像ファイルを管理するデータベースや、ＨＴＭＬソースを編集する編集部、リソースの入出力部等を持つ。なお、置換処理部１０４の詳細な構成は、図２を参照して後述する。
【００１２】
また、情報閲覧システム１０２は、置換処理部１０４から出力されたリソースを表示装置１１４に表示するための表示制御部１０５を含む。表示制御部１０５は、リソースを構文解析し、レイアウトを自動的に設定してユーザ端末１０１の表示装置１１４上へ視覚的に表示させる。
【００１３】
さらに、情報閲覧システム１０２は、リソースを一時的に保存しておくためのキャッシュ１０６を含む。Ｗｅｂサーバ１０９からリソースを受信するためには、相当量の時間が必要なため、一度受信したリソースをユーザ端末１０１内にある程度蓄積しておくことにより、リソースを早く閲覧することが可能となる。また、この情報閲覧システム１０２では、キャッシュ１０６に保存されたリソースを置換処理部１０４で編集することにより、情報閲覧システムの付せん機能を実現している。
【００１４】
図２は置換処理部の構成を示すブロック図である。図２において、２０１は付せん情報管理部、２０２は付せん情報データベース、２０３は置換画像ファイルデータベース、２０４は画像ファイル編集部、２０５はＨＴＭＬソース編集部、２０６はリソース入力部、２０７はリソース出力部である。
【００１５】
置換処理部１０４は、制御部１０３からの依頼を受けて、キャッシュ１０６のリソースをそのまま、または、編集したリソースを表示制御部１０５に出力するものであり、付せん情報管理部２０１、付せん情報データベース２０２、置換画像ファイルデータベース２０３、画像ファイル編集部２０４、ＨＴＭＬソース編集部２０５、リソース入力部２０６、リソース出力部２０７により構成されている。なお、付せん情報データベース２０２、置換画像ファイルデータベース２０３は、ハードディスク装置１１３内に格納されている。
【００１６】
前述において、付せん情報管理部２０１は、制御部１０３からの依頼を受けて、情報の閲覧時の付せん情報有無のチェック、置換画像の作成依頼、付せんの作成、付せん情報の置換及び付せんの削除の付せん情報の管理を行う機能を有する。そして、付せん情報管理部２０１は、情報を閲覧するとき、閲覧情報があるＵＲＬが付せん情報データベース２０２にあるか否かを確認し、その結果をリソース入力部２０６へ伝達し、置換画像を新たに作成するとき、画像ファイル編集部２０４に入力文字内容を伝達し、リソース入力部２０６から入力されたリソースを編集する依頼を行う。
【００１７】
また、付せん情報管理部２０１は、付せんを作成するとき、付せん情報データベース２０２に付せん名、ＵＲＬ及び対象ファイル名を付せん情報として保存し、また、置換画像ファイルデータベース２０３に付せんＩＤ、置換画像ファイル名及び置換画像を保存し、付せん情報を置換するとき、付せん名及びＵＲＬを基に対象ファイル名を置換画像ファイル名に変更するようＨＴＭＬソース編集部へ情報を提供し、さらに、付せん情報を削除するとき、付せん情報データベース２０２及び置換画像ファイルデータベース２０３のデータを削除する。
【００１８】
付せん情報データベース２０２は、付せん情報を保存しておくためのものであり、その詳細なテーブル構成については図７により後述する。置換画像ファイルデータベース２０３は、付せん情報により置換される画像ファイルを保存しておくためのものであり、その詳細なテーブル構成については図８ににより後述する。
【００１９】
画像ファイル編集部２０４は、付せん情報により置換される画像ファイルを編集する機能を有し、付せん情報を作成するとき、ユーザが置換画像を元の画像から新たに作成する場合、ユーザから入力された対象ファイル名、入力文字、及び入力文字位置を基に、元となる画像をリソース入力部２０６から得て、画像にメモを書き込む処理を行う。また、画像ファイル編集部２０４は、付せんに付せん名を書き込む処理も行うことができる。
【００２０】
ＨＴＭＬソース編集部２０５は、付せん情報を基にＨＴＭＬソースを編集する機能を有し、情報を閲覧するときに付せん情報がある場合、対象ファイルの後ろに付せんを貼り付けるように編集を行う。また、ＨＴＭＬソース編集部２０５は、画像ファイルを置換するとき、付せん情報管理部２０１からＵＲＬ、対象ファイル名、付せん名及び置換画像ファイル名の情報を、リソース入力部２０６から対象ＵＲＬのＨＴＭＬソースを得て、参照させる画像ファイルを置換画像に代えるように編集し、また、置換画像もリソースとして取得する。編集した修正リソースは、リソース出力部２０７へ出力される。
【００２１】
リソース入力部２０６は、キャッシュ１０６からリソースを入力する機能を有し、入力したリソースを、ユーザが置換画像を基の画像から新たに作成するとき、元となるファイルを画像ファイル編集部２０４に提供し、出力するためにＨＴＭＬソースを編集する必要があるとき、ＨＴＭＬソース編集部２０５に提供し、出力するためにＨＴＭＬソースを編集する必要がないとき、リソース出力編集部２０７に提供する。
【００２２】
リソース出力部２０７は、表示制御部１０５にリソースを出力する機能を有する。ここで出力するリソースは、リソース入力部２０６から直接得たリソース、または、ＨＴＭＬソース編集部２０５が編集した修正リソースのどちらかである。
【００２３】
図９は本発明の実施形態による情報閲覧システムによって表示される画面の遷移を示す図であり、本発明の実施形態での処理動作を説明する前に画面の遷移について説明する。
【００２４】
入力装置１０７からユーザによって入力されたＵＲＬを基に、情報閲覧システム１０２は、Ｗｅｂサーバ１０９からリソースをキャッシュ１０６に受信し、表示制御部１０５を通じて表示装置１１４にリソースを表示する。このとき、入力されたＵＲＬは、そのＵＲＬに付けられる付せんの有無が制御部１０３によって判断され、付せん情報がない場合、付せんなしの閲覧画面９０１、付せん情報がある場合、付せん有りの閲覧画面９０２のように表示される。
【００２５】
付せんなし閲覧画面９０１は、受信したリソースを格納したキャッシュ１０６からそのまま表示制御部１０５に提供して表示装置１１４に表示したものである。この画面９０１の中の画像をマウスにより右クリックすると、ショートカットメニュー９０４が表示され、付せんの作成などの処理を実行することができる。
【００２６】
付せん有り閲覧画面９０２は、受信したリソースを格納したキャッシュ１０６から、置換処理部１０４によって対象ファイルに付せんを貼り付けるよう編集してから、表示制御部１０５に提供し、表示装置１１４に表示したものである。画像の一部に付せん９０６が付けられている。この付せん９０６をマウスにより右クリックをすると、ショートカットメニュー９０５が表示され、置換、編集、削除などの処理を実行することができる。また、付せんなし閲覧画面９０１の場合と同様に、画像を右クリックすることにより、ショートカットメニュー９０４が表示され、付せんの作成等の処理を実行することができる。
【００２７】
付せん置換後閲覧画面９０３は、マウス等による入力装置１０７により付せんをクリックする、または、ショートカットメニュー９０５の置換を選択するこにより表示される。この付せん置換後閲覧画面９０３には、付せん９０６のあった場所に置換された付せんの内容９０７が表示されたものである。このとき、情報閲覧システム１０２は、キャッシュ１０６からリソース入力部２０６に入力されたリソースを、付せん情報データベース２０２及び置換画像ファイルデータベース２０３を基にＨＴＭＬソース編集部２０５で編集してから、表示制御部１０５に提供して表示している。
【００２８】
図３はユーザが情報を閲覧するときにおけるリソースの受信から表示までの処理動作を説明するフローチャートであり、次に、これについて説明する。
【００２９】
（１）初めに、ユーザは、入力装置１０７から情報を閲覧したい任意のＵＲＬを情報閲覧システム１０２に送信する。このＵＲＬは、情報閲覧システム１０２の制御部１０３により受信される（ステップ３０１、３０２）。
【００３０】
（２）情報閲覧依頼を受信した制御部１０３は、ここで２つの処理を行う。すなわち、受信したＵＲＬのリソースをＷｅｂサーバから送信してもらうようにＷｅｂサーバへの依頼を送信すると共に、そのＵＲＬに対する付せん情報があるか否かを確認してもらう確認依頼を付せん情報管理部２０１に送信する（ステップ３０３、３０９）。
【００３１】
（３）ステップ３０３の処理で制御部１０３から送信されたりソースの送信依頼を受信したＷｅｂサーバ１０９は、リソースの送信依頼を情報すると、受信したＵＲＬに対応したリソースを情報閲覧システム１０２のキャッシュ１０６に送信する（ステップ３０４、３０５）。
【００３２】
（４）情報閲覧システム１０２は、ステップ３０５の処理でＷｅｂサーバ１０９からキャッシュ１０６に提供されたリソースをリソース入力部２０６に格納する（ステップ３０６、３０７）。
【００３３】
（５）一方、ステップ３０３の処理で制御部１０３から送信されたＵＲＬに対する付せん情報があるか否かを確認してもらう確認依頼を受信した付せん情報管理部２０１は、付せん情報データベース２０２に付せん情報送信依頼を行って、付せん情報データベース２０２から付せんＩＤ、付せん名、ＵＲＬ及び対象ファイル名を含む付せん情報を受信する。そして、付せん情報管理部２０１は、受け取った付せん情報に含まれるＵＲＬと制御部１０３から受信したＵＲＬとを比較し、ＵＲＬに対する付せんがあるかどうかの確認を行い、確認した結果及び付せんが存在する場合にその付せん情報をリソース入力部２０６に送信する（ステップ３１０〜３１４）。
【００３４】
（６）リソース入力部２０６は、付せん情報管理部２０１から受信した確認結果を基に、画像を置換する必要があるか否かを判断する。画像を置換する必要がない場合、すなわち、ＵＲＬに対する付せんがなかった場合、リソース入力部２０６は、キャッシュ１０６から受信したリソースをそのままリソース出力部２０７へ送信してリソース出力依頼を行う。また、画像を置換する必要がある場合、すなわち、ＵＲＬに対する付せんがあった場合、リソース入力部２０６は、キャッシュ１０６から受信したリソース及び付せん情報をＨＴＭＬソース編集部２０５へ提供し、リソースを編集するように依頼する。この編集とは、ＨＴＭＬソースに対して付せんを貼り付ける作業である（ステップ３０８、３１５〜３１８）。
【００３５】
（７）ＨＴＭＬソース編集部２０５は、ステップ３１８の処理で送信されてきたリソース編集依頼を受信すると、付せん情報を基に置換する画像に対して付せん画像を貼り付ける編集を行う。具体的には、対象となる画像ファイルをＩＬＡＹＥＲタグを利用して表示してその上に付せん画像ファイルを追加するか、対象となる画像ファイルの後に付せん画像ファイルへのＩＭＧタグを追加することにより、付せん情報を付加する処理である。必要であれば画像ファイル編集部２０４を利用して、付せん画像に付せん情報を書き込んでもよい。ＨＴＭＬソース編集部２０５は、編集が終わった修正リソースをリソース出力部２０７へ送信してリソース出力依頼を行う（ステップ３１９〜３２１）。
【００３６】
（８）リソース出力部２０７は、ステップ３１７の処理でリソース入力部２０６から送信されてきたリソース、または、ステップ３２１の処理でＨＴＭＬソース編集部２０５から送信されてきた修正リソースをを受信して、表示制御部１０５にリソースを表示するように依頼する（ステップ３２２、３２３）。
【００３７】
（９）表示制御部１０５は、リソース出力部２０７から送信されてきたリソースまたは修正リソースを受信して表示装置１１４に表示する（ステップ３２４、３２５）。
【００３８】
図４はユーザが付せん情報を作成し、付せん情報及び置換画像を格納する処理動作を説明するフローチャートであり、次に、これについて説明する。
【００３９】
（１）初めに、ユーザは、入力装置１０７から情報を閲覧したい任意のＵＲＬを情報閲覧システム１０２に送信し、図３に示すフローにより説明した処理を実行することにより、リソースまたは修正リソースを表示装置１１４に表示させる（ステップ３２５）。
【００４０】
（２）ユーザは、マウス等の入力装置１０７により、情報を閲覧しているときに画像を右クリックし、表示されるショートカットメニュー９０４から付せんを作成する指示を与えることにより、情報閲覧システム１０２に付せんの作成を依頼する。このとき、ユーザは、付せん名、ＵＲＬ、対象ファイル名のほか、置換画像または対象ファイルのどの位置にどの文字を入れるかの情報を送信する。これらの情報は、情報閲覧システム１０２の制御部１０３により受信される（ステップ４０１、４０２）。
【００４１】
（３）付せんの作成依頼を受信した制御部１０３は、置換画像があるか否かを判定し、置換画像があった場合、付せん名、ＵＲＬ、対象ファイル名、置換画像の各情報と共に付せん情報作成依頼を付せん情報管理部２０１に送信し、また、置換画像がなかった場合、付せん名、ＵＲＬ、対象ファイル名、入力文字、入力文字位置の各情報と共に付せん情報作成依頼を付せん情報管理部２０１に送信する（ステップ４０３、４０４、４０６）。
【００４２】
（４）付せん情報管理部２０１は、置換画像ありの付せん情報作成依頼を受信した場合、そのまま付せん情報の作成を行い、置換画像なしの付せん情報作成依頼を受信した場合、画像ファイル編集部２０４に置換画像の作成の依頼を送信する（ステップ４０５、４０７、４０８）。
【００４３】
（５）付せん情報管理部２０１は、付せん名、ＵＲＬ、対象ファイル名、入力文字、入力文字位置の各情報と共に、置換画像の作成依頼を画像ファイル編集部２０４に送信する。置換画像の作成依頼を受信した画像ファイル編集部２０４は、対象画像を送信してもらうようリソース入力部２０６に依頼する。依頼を受信したリソース入力部２０６は、キャッシュから入力されている対象画像を画像ファイル編集部２０４に送信する。対象画像を受信した画像ファイル編集部２０４は、対象ファイルのどの位置にどの文字を入れるかの情報を基に置換画像を作成し、置換画像として付せん情報管理部２０１へ送信する。具体的には、ユーザが文字を入力するオブジェクトの座標位置（矩形の場合は左上及び右下の座標位置）及び入力文字のスタイル、フォント及び入力内容を入力装置１０７から指示し、画像ファイル編集部２０４が対象画像を背景、入力文字をレイヤーとして乗せることにより作成される（ステップ４０９〜４１５）。
【００４４】
（６）付せん情報管理部２０１は、置換画像ありの付せん情報作成依頼を受信した場合、及び、画像ファイル編集部２０４からの置換画像作成通知を受信した場合、付せん名、ＵＲＬ、対象ファイル名及び置換画像が揃っているので、付せん情報データベース２０２に、付せん名、ＵＲＬ、及び対象ファイル名を書き込む。このとき、付せんに対して一意な付せんＩＤが振られる。また、付せん情報管理部２０１は、置換画像ファイルデータベース２０３に付せんＩＤ、置換画像ファイル名及び置換画像を書き込む。画像ファイル編集部２０４で作成された置換画像の場合、置換画像ファイル名は任意に付けられるが、対象ファイル名及び付せんＩＤを組み合わせた名前を付けることを基本とする。データベースへの書き込み作業が正常に完了すると、表示装置１１４に対して付せん作成の完了を通知する（ステップ４１６〜４２２）。
【００４５】
図５はユーザが付せん情報に基づいて画像ファイルを置換する場合におけるリソースの修正から表示までの処理動作を説明するフローチャートであり、次に、これについて説明する。
【００４６】
（１）初めに、ユーザは、入力装置１０７から情報を閲覧したい任意のＵＲＬを情報閲覧システム１０２に送信し、図３に示すフローにより説明した処理を実行することにより、リソースまたは修正リソースを表示装置１１４に表示させる（ステップ３２５）。
【００４７】
（２）ユーザは、情報を閲覧しているときに、図３で追加されて表示されている付せんを入力装置１０７のマウス等によりクリックする、または、付せんの右クリックにより表示されるショートカットメニュー９０５から置換の指示を与えることにより、情報閲覧システム１０２に付せん対象画像の置換を依頼する。このとき、情報閲覧システム１０２は、現在表示しているリソースからそのＵＲＬと、付せんが保有している付せんＩＤとを受信する。これらの情報は、情報閲覧システム１０２の制御部１０３により受信される（ステップ５０１、５０２）。
【００４８】
（３）付せん情報による置換依頼を受信した制御部１０３は、付せん情報の確認のために、付せん情報確認依頼を付せん情報管理部２０１に送信する（ステップ５０３）。
【００４９】
（４）付せん情報管理部２０１は、付せん情報確認の依頼を受信すると、ＵＲＬ及び付せんＩＤを基に付せん情報を送信するよう付せん情報データベース２０２に依頼して、付せん情報データベース２０２から付せん情報を受信し、次に、付せん対象画像を置換するためにリソースの編集依頼をＨＴＭＬソース編集部２０５に送信する（ステップ５０４〜５０７）。
【００５０】
（５）リソース編集依頼を受信したＨＴＭＬソース編集部２０５は、リソースを送信してもらうようリソース入力部２０６にリソース送信依頼を送信する。依頼を受信したリソース入力部２０６は、リソースをＨＴＭＬソース編集部２０５に送信する（ステップ５０８〜５１１）。
【００５１】
（６）ＨＴＭＬソース編集部２０５は、リソース入力部２０６からリソースを受信すると、次に、付せんＩＤを基に置換画像ファイルデータベース２０３に、置換画像ファイル名及び置換画像の送信依頼を行い、置換画像ファイルデータベース２０３から置換画像ファイル名及び置換画像を受信し、リソースに含まれるＨＴＭＬソースの付せん対象画像を表示させているＩＭＧタグを修正する編集を行い、置換画像ファイルを表示させるために、リソース出力部２０７にリソース出力依頼を送信する（ステップ５１２〜５１６）。
【００５２】
（７）リソース出力部２０７は、ＨＴＭＬソース編集部２０５からリソース出力依頼を受信し、受信した修正リソースを表示するよう表示制御部１０５に依頼する（ステップ５１７、５１８）。
【００５３】
（８）表示制御部１０５は、リソース出力部２０７から受信した修正リソースを表示装置１１４に表示する（ステップ５１９、５２０）。
【００５４】
図６はユーザが付せん情報を削除する場合の処理動作を説明するフローチャートであり、次に、これについて説明する。
【００５５】
（１）初めに、ユーザは、入力装置１０７から情報を閲覧したい任意のＵＲＬを情報閲覧システム１０２に送信し、図３に示すフローにより説明した処理を実行することにより、リソースまたは修正リソースを表示装置１１４に表示させる（ステップ３２５）。
【００５６】
（２）ユーザは、情報を閲覧しているときに、入力装置１０７としてのマウスを用いて、付せんの右クリックを行うことにより表示されるショートカットメニュー９０５から付せんを削除する指示として、付せん情報削除依頼を送信する。このとき、情報閲覧システム１０２は、ＵＲＬと付せんＩＤとを受信する。これらの情報は、情報閲覧システム１０２の制御部１０３により受信される（ステップ６０１、６０２）。
【００５７】
（３）制御部１０３は、付せんの削除依頼を受信すると、付せん情報管理部２０１に対して、ＵＲＬと付せんＩＤとを含む付せん情報削除の依頼を送信する。この削除依頼は、付せん情報管理部２０１により受信される（ステップ６０３）。
【００５８】
（４）付せん情報管理部２０１は、付せんＩＤを基に置換画像ファイルデータベース２０３の対応する置換画像ファイルを削除するために、削除する画像情報を置換画像ファイルデータベース２０３に送信し、置換画像ファイルデータベース２０３から置換画像の削除を完了した通知を受信する（ステッ６０５、６０６）。
【００５９】
（５）また、付せん情報管理部２０１は、付せんＩＤ及びＵＲＬを基に、付せん情報データベースの２０２の対応する付せん情報を削除するために、削除する付せん情報を付せん情報データベースの２０２に送信し、付せん情報データベース２０２から付せん情報の削除を完了した通知を受信する（ステップ６０７、６０８）。
【００６０】
（６）データベース２０３、２０２の削除作業が正常に完了すると、付せん情報管理部２０１は、付せん削除完了通知を、表示制御部１０５に出力して、表示装置１１４に表示させて、ユーザへの通知を行う（ステップ６０９、６１０）。
【００６１】
図７は付せん情報データベースに登録された付せんを付加する対象ファイル情報のテーブル構成を示す図である。付せん情報のテーブルには、付せん情報の１つ毎に１つレコードが存在する。そして、付せん情報テーブルは、付せんＩＤ７０１、付せん名７０２、ＵＲＬ７０３及び対象ファイル名７０４により構成される。このテーブルの主キーは付せんＩＤ７０１であり、重複することはない。
【００６２】
図７に示すテーブルの付せんＩＤ７０１には、各付せんに対する一意な番号が記載される。この付せんＩＤ７０１は、ユーザが入力装置１０７から付せん作成を依頼したときに一意に決定される。この付せんＩＤ７０１は、付せん情報を作成するとき、置換画像ファイルデータベース２０３に置換画像ファイルを登録するために使用される。また、この付せんＩＤ７０１は、付せん情報を置換するとき、付せん情報管理部２０１によって参照され、その後、ＨＴＭＬソース編集部２０５に提供され、ＨＴＭＬソース編集部２０５がリソースを修正するとき、図８により後述する置換画像ファイル名８０２及び置換画像８０３を得るために使用される。
【００６３】
付せん名７０２には、各付せんに対する任意の名称が記載される。この付せん名７０２は、ユーザが入力装置１０７から付せん作成を依頼したときに入力されたデータが、制御部１０３及び付せん情報管理部２０１を通じて入力されたものである。また、この付せん名７０２は、付せん情報を置換するとき、付せん情報管理部２０１によって参照され、その後、ＨＴＭＬソース編集部２０５に提供され、ＨＴＭＬソース編集部がリソースを修正するとき、ユーザへの補足情報としてＨＴＭＬソースに含めるために使用される。この補足情報は、画像ファイル編集部２０４によって付せんに直接書かれたり、ＨＴＭＬソースのＩＭＧタグのＡＬＴ属性として組み込まれたりされる。
【００６４】
ＵＲＬ７０３には、置換される画像が含まれているＵＲＬが記載される。このＵＲＬ７０３は、ユーザが入力装置１０７から付せん作成を依頼したときに置換される画像が含まれているロケーションが、制御部１０３及び付せん情報管理部２０１を通じて入力されたものである。また、このＵＲＬ７０３は、情報を閲覧するときに付せん情報管理部２０１によって参照され、閲覧したい情報のロケーションと一致するか否かを確認するために使用される。一致しない場合、リソースを直接表示するように、一致した場合、リソースを編集するためにＨＴＭＬソース編集部２０５に提供され、ＨＴＭＬソース編集部がリソースを修正するとき、リソース入力部２０６からリソースを受信するために使用される。
【００６５】
対象ファイル名７０４には、置換する画像のファイル名が記載される。この対象ファイル名７０４は、ユーザが入力装置１０７から付せん作成を依頼したときに置換する画像のファイル名が、制御部１０３及び付せん情報管理部２０１を通じて入力されたものである。また、この対象ファイル名７０４は、付せん情報を置換するとき、付せん情報管理部２０１によって参照され、その後、ＨＴＭＬソース編集部２０５に提供され、ＨＴＭＬソース編集部がリソースを修正するとき、修正すべき対象画像ファイル名としてＨＴＭＬソースを確認するために使用される。この対象画像ファイル名７０４は、置換画像ファイルデータベース２０３の置換画像ファイル名８０２に修正される。
【００６６】
図８は置換画像データベースに登録された付せんに対応する置換画像ファイルを格納したテーブル構成を示す図である。付せんに対応する置換画像ファイルのテーブルには、付せん情報の１つ毎に１つのレコードが存在する。そして、置換画像ファイルテーブルは、付せんＩＤ８０１、置換画像ファイル名８０２及び置換画像８０３により構成される。このテーブルの主キーは付せんＩＤ８０１であり、重複することはない。また、付せん情報データベース２０２の付せんＩＤ７０１とレコード数が同一であり、１対１に対応しなければならない。
【００６７】
図８に示すテーブルの置換画像ファイル名８０２には、置換される画像のファイル名が記載される。この置換画像ファイル名８０２は、ユーザが入力装置１０７から付せん作成を依頼したときに置換される画像のファイル名が、制御部１０３及び付せん情報管理部２０１を通じて入力されたものである。また、この置換画像ファイル名８０２は、付せん情報を置換するとき、付せん情報管理部２０１によって参照され、その後、ＨＴＭＬソース編集部２０５に提供され、ＨＴＭＬソース編集部がリソースを修正するとき、修正される置換画像ファイル名としてＨＴＭＬソースを修正するために使用される。
【００６８】
置換画像８０３には、置換される画像が記載される。この置換画像８０３は、ユーザが入力装置１０７から付せん作成を依頼したときに置換される画像が、制御部１０３及び付せん情報管理部２０１を通じて入力されたものである。この画像は、予めユーザが作成したもの、または、画像ファイル編集部２０４によって作成されたものである。この置換画像８０３は、置換画像ファイルデータベース２０３に保存される。この置換画像８０３は、付せん情報を置換するとき、付せん情報管理部２０１によって参照され、その後、ＨＴＭＬソース編集部２０５に提供され、ＨＴＭＬソース編集部がリソースを修正するとき、修正される置換画像として対象ファイルの代わりに使用される。
【００６９】
前述した本発明の実施形態での各処理は、プログラムにより構成し、本発明が備えるＣＰＵに実行させることができ、また、それらのプログラムは、ＦＤ、ＣＤＲＯＭ、ＤＶＤ等の記録媒体に格納して提供することができ、また、ネットワークを介してディジタル情報により提供することができる。
【図面の簡単な説明】
【００７０】
【図１】本発明の一実施形態による情報閲覧システムの構成を示すブロック図である。
【図２】置換処理部の構成を示すブロック図である。
【図３】ユーザが情報を閲覧するときにおけるリソースの受信から表示までの処理動作を説明するフローチャートである。
【図４】ユーザが付せん情報を作成し、付せん情報及び置換画像を格納する処理動作を説明するフローチャートである。
【図５】ユーザが付せん情報に基づいて画像ファイルを置換する場合におけるリソースの修正から表示までの処理動作を説明するフローチャートである。
【図６】ユーザが付せん情報を削除する場合の処理動作を説明するフローチャートである。
【図７】付せん情報データベースに登録された付せんを付加する対象ファイル情報のテーブル構成を示す図である。
【図８】置換画像データベースに登録された付せんに対応する置換画像ファイルを格納したテーブル構成を示す図である。
【図９】本発明の実施形態による情報閲覧システムによって表示される画面の遷移を示す図である。
【符号の説明】
【００７１】
１０１  ユーザ端末
１０２  情報閲覧システム
１０３  制御部
１０４  置換処理部
１０５  表示制御部
１０６  キャッシュ
１０７  入力装置
１０８  ネットワーク
１０９  Ｗｅｂサーバ
１１０  オペレーティングシステム（ＯＳ）
１１１  主記憶装置
１１２  ＣＰＵ
１１３  ハードディスク装置（ＨＤＤ）
１１４  表示装置
２０１  付せん情報管理部
２０２  付せん情報データベース
２０３  置換画像ファイルデータベース
２０４  画像ファイル編集部
２０５  ＨＴＭＬソース編集部
２０６  リソース入力部
２０７  リソース出力部
【図１】
2007310497.tif 000003
【図２】
2007310497.tif 000004
【図３】
2007310497.tif 000005
【図４】
2007310497.tif 000006
【図５】
2007310497.tif 000007
【図６】
2007310497.tif 000008
【図７】
2007310497.tif 000009
【図８】
2007310497.tif 000010
【図９】
2007310497.tif 000011